(57)【特許請求の範囲】
【請求項１】
机の裏面に設けられ、前記机の一端付近から他端付近まで延びて、それぞれが平行に設けられる３本以上のレールと、
前記レールに係合し、前記レールに沿って移動可能なスライダーと、
前記スライダーに吊り部を介して接続されるトレイまたはホルダーであり、当該トレイまたはホルダーが設けられた位置またはその位置よりも上に収納物が支持されるトレイまたはホルダーと、を含み、
前記吊り部は、前記スライダーと前記トレイまたはホルダーとを接続するもので、かつ前記スライダーに対して回動可能に接続されるものであり、
前記トレイまたはホルダーは、複数の前記レールにそれぞれ設けられた前記吊り部を介して、複数の前記レールにそれぞれ設けられた前記スライダーに接続される収納機構。
【請求項２】
前記レールは、前記机の裏面を削り込んで形成された溝の部分に収まるようにはめ込まれており、かつ、複数のレールが長手方向に接続されて構成されたものである請求項１に記載の収納機構。
【請求項３】
前記スライダーは、前記レールと接触する部分に滑り止め機構を有する請求項１または２に記載の収納機構。
【請求項４】
前記レールの長手方向の両端部分または前記レールの長手方向の途中部分のうち１以上の部分に、前記スライダーが挿入される挿入口が設けられた請求項１〜３のいずれか１項に記載の収納機構。
【発明の詳細な説明】
【技術分野】
【０００１】
本発明は、机の裏面に設けられ、収納物や網棚やトレイなどの収納用品を吊り下げて収納する収納機構に関するものである。
【背景技術】
【０００２】
これまで、屋内の収納に関する様々な機構や方法が提案されている。特に、机の周りには、机上作業で使う小道具や電源タップ、電源ケーブルなどの備品が多く存在するため、机の周りの収納に関する機構や方法も提案されている。
【０００３】
例えば、特許文献１には、少なくともその一面が開放された外枠に固定されるインナーレールと、該インナーレールに摺動自在に支持されるアウターレールと、該アウターレールと嵌合する走行溝を裏面に有する引き出しに取り付けられる係止部材とからなり、前記引き出しを前記外枠に収納させるスライド機構であって、前記アウターレールは切欠を有しており、前記引き出しおよびアウターレールが前記外枠内に収納された状態で前記係止部材が前記切欠に係合するよう構成したことを特徴とするスライド機構が開示されている。
【０００４】
また、特許文献２には、作業机の一方のサイドの脚部に取り付けられ、部品コンテナの上方開口部の一辺に設けられた断面がＬ字形のハンガー部を掛けて保持するスライドフックが開示されている。
【先行技術文献】
【特許文献】
【０００５】
【特許文献１】特開平６−１６９８２５号公報
【特許文献２】特開平３−２６４２７６号公報
【発明の概要】
【発明が解決しようとする課題】
【０００６】
しかし、机上作業や、机の周辺で使う物の多様化により、もっと自由に、かつ空間を有効的に利用できる収納機構が求められている。つまり、物品や形状に関わらず様々な物を収納できつつ、かつ作業者の邪魔にならない、空間が有効的に利用された収納機構が求められている。よって、本発明は、様々な物を収納できつつ、かつ空間が有効的に利用された収納機構の提供を目的とする。
【課題を解決するための手段】
【０００７】
本発明の収納機構は、机の裏面に設けられたレールと、レールに係合し、レールに沿って移動可能なスライダーと、スライダーに接続され、収納物または収納物を収納可能な収納用品を引っ掛ける吊り部とを含む。これにより、吊り部には、収納物や収納用品を引っ掛けることができる。また、スライダーはレールに沿って自由にスライド可能となり、スライダーと接続する吊り部も、レールに沿って自由にスライド可能となる。
【０００８】
また、収納機構は、レールの長手方向の両端部分またはレールの長手方向の途中部分のうち１以上の部分に、スライダーが挿入される挿入口が設けられていることが望ましい。これにより、スライダーは挿入口から容易に挿入可能となる。
【０００９】
また、収納機構は、複数のスライダーおよび吊り部を含むことが望ましい。これにより、収納物や収納用品の両端や四隅など複数の部分を吊り部に引っ掛けることができる。
【００１０】
また、レールは、机の裏面を削り込んで形成された溝の部分にはめ込まれていることが望ましい。これにより、レールは、机の裏面を削り込んで形成された溝の部分内に収まるように設けられる。
【００１１】
また、吊り部は、収納物または収納用品を引っ掛ける吊り具と、スライダーと吊り具とを接続する接続部であり、吊り具と回動可能に接続される接続部とを含むことが望ましい。これにより、吊り具は、スライダーに対して自由に回動可能となる。
【００１２】
また、吊り部は、ネジ穴が設けられた接続部と、ネジ穴にはめられるネジと、ネジ穴が設けられた接続部とネジとの間に挟まれる収納用品とを含むことが望ましい。これにより、収納用品をしっかりとネジ止めすることができる。
【発明の効果】
【００１３】
（１）本発明の収納機構によれば、机の裏面に設けられたレールと、レールに係合し、レールに沿って移動可能なスライダーと、スライダーに接続され、収納物または収納物を収納可能な収納用品を引っ掛ける吊り部とを含む構成により、吊り部には、収納物や収納用品を引っ掛けることができる。また、スライダーはレールに沿って自由にスライド可能となり、スライダーと接続する吊り部も、レールに沿って自由にスライド可能となる。よって、吊り部に引っ掛けられた収納物や収納用品を自由に移動させることができ、座る場所に応じて、収納物や収納用品の収納位置を移動させることができる。
【００１４】
（２）また、収納機構は、レールの長手方向の両端部分またはレールの長手方向の途中部分のうち１以上の部分に、スライダーが挿入される挿入口が設けられている構成により、スライダーは挿入口から容易に挿入可能となるため、スライダーの増減を容易に行うことができ、収納物や収納用品の数や種類に応じて、自由にスライダーや吊り部を設けることができる。
【００１５】
（３）また、収納機構は、複数のスライダーおよび吊り部を含む構成により、収納物や収納用品の両端や四隅など複数の部分を吊り部に引っ掛けることができるため、重量のある収納物や収納用品でも、収納することができる。
【００１６】
（４）また、レールは、机の裏面を削り込んで形成された溝の部分にはめ込まれている構成により、レールは、机の裏面を削り込んで形成された溝の部分内に収まるように設けられるため、第三者が当該机に座る場合でも邪魔にならず、かつ空間を有効的に利用することができる。
【００１７】
（５）また、吊り部は、収納物または収納用品を引っ掛けるフック状またはリング状の吊り具と、スライダーと吊り具とを接続する接続部であり、吊り具と回動可能に接続される接続部とを含む構成により、吊り具は、スライダーに対して自由に回動可能となるため、フック状の吊り具の先端が向いている方向や、リング状の吊り具の穴が向いている方向を、引っ掛ける収納物や収納用品に合わせて自由に調整することができる。
【００１８】
（６）また、吊り部は、ネジ穴が設けられた接続部と、ネジ穴にはめられるネジと、ネジ穴が設けられた接続部とネジとの間に挟まれる収納用品とを含む構成により、収納用品をしっかりとネジ止めすることができるため、収納用品に収納物を収納する際に左右上下方向の力が働く場合であっても、しっかりと収納用品を安定させることができる。
【図面の簡単な説明】
【００１９】
【図１】本発明の実施の形態に係る収納機構の概略斜視図である。
【図２】本発明の実施の形態に係る収納機構で収納される収納物の例を示す説明図である。
【図３】本発明の実施の形態に係る収納機構で収納される収納用品の例を示す説明図である。
【図４】本発明の実施の形態に係る収納機構の説明図であり、（Ａ）は挿入口の種類を示す説明図、（Ｂ）は挿入口にスライダーが挿入された例を示す説明図である。
【図５】本発明の実施の形態に係る収納機構の別の実施例を示す説明図である。
【図６】本発明の実施の形態に係る収納機構の吊り部の例を示す説明図である。
【図７】本発明の実施の形態に係る収納機構の収納用品の例を示す説明図である。
【図８】本発明の実施の形態に係る収納機構の収納用品の例を示す説明図である。
【発明を実施するための形態】
【００２０】
以下に本発明の実施の形態を詳細に説明するが、以下に記載する構成要件の説明は、本発明の実施態様の一例（代表例）であり、本発明はその要旨を変更しない限り、以下の内容に限定されない。
【００２１】
［収納機構］
図１は、本発明の実施の形態に係る収納機構の概略斜視図である。収納機構１は、レール１０、スライダー１１、吊り部１２を含む。
【００２２】
レール１０は、机Ｄの裏面に設けられる。図１に示す実施の形態では、レール１０は、机Ｄの裏面を加工した部分に設けられている。具体的には、レール１０は、机Ｄの裏面を削り込んで形成された溝の部分にはめ込まれている。なお、レール１０は、第三者が机Ｄに座る場合でも邪魔にならない程度であれば、机Ｄの裏面を加工せずに、ネジ止めによる固定や溶接固定などにより、机Ｄの裏面に設けられてもよい。
【００２３】
スライダー１１は、レール１０に係合し、レール１０に沿って移動可能である。つまり、スライダー１１は、レール１０に沿ってスライドする。
【００２４】
吊り部１２は、スライダー１１に接続される。また、吊り部１２は、収納物や、収納物を収納可能な収納用品を引っ掛ける。収納物とは、図２に示すような、電源タップや引き出し、ティッシュボックスなどである。収納物を収納可能な収納用品とは、図３に示すような、トレイや網棚などである。
【００２５】
このような収納物や収納用品は、吊り部１２が引っ掛かる隙間や穴Ｈを設けることにより、物品や形状に関わらず様々な物を引っ掛けることができる。また、様々な方向から引っ掛けることができる（図２のティッシュボックス参照）。
なお、収納用品であるトレイや網棚には、筆記用具やリモコン、レーザーポインターなど、机上作業や会議などで使う道具を収納することができる。
【００２６】
また、レール１０は、スライダー１１が挿入される挿入口１３が設けられている。図１に示す実施の形態では、挿入口１３（１３Ａ）は、レール１０の長手方向Ｆの両端部分に設けられている。
【００２７】
［使用例］
以下、各図面に基づいて、収納機構１の使用例を説明する。収納機構１の利用者は、図２，３に示すような収納物や収納用品を吊り部１２に引っ掛かけることで、机Ｄの裏面に収納物などを収納する。机Ｄの裏面は、他の用途には利用されておらず、かつ十分な空間がある。また、上述したように、吊り部１２には、物品や形状に関わらず様々な物を、様々な方向から引っかけることができる。よって、収納機構１は、様々な物を収納できつつ、かつ空間を有効的に利用することができる。
【００２８】
なお、スライダー１１はレール１０に沿って自由にスライド可能であるため、スライダー１１と接続する吊り部１２も、レール１０に沿って自由にスライド可能である。そのため、吊り部１２に引っ掛けた収納物や収納用品も、レール１０に沿って自由にスライド可能である。例えば、吊り部１２に引っ掛けられた電源タップを自由に移動させることができるため、机Ｄの座る場所に関わらず（どこに座っても）、持参したノートパソコンを当該電源タップに繋いで充電することができる。
【００２９】
ここで、スライダー１１とそれに接続する吊り部１２は、複数設けられることが望ましい。複数設けられることにより、収納物や収納用品の両端や四隅（図２，３参照）など複数の部分を吊り部１２に引っ掛けることができ、より安定して収納物などを収納することができる。また、重量のある収納物や収納用品であっても、収納することができる。
【００３０】
また、吊り部１２は、収納物や収納用品を引っ掛ける吊り具１２２と、スライダー１１と吊り具１２２とを接続する接続部１２１とを含む構成である（図１参照）。吊り具１２２は、接続部１２１と回動可能に接続されている。また、吊り具１２２は、フック状またはリング状に形成されている。
【００３１】
これにより、吊り具１２２は、スライダー１１に対して自由に回動可能となる。そのため、吊り具１２２がフック状である場合、当該フックの先端が向いている方向を、引っ掛ける収納物などに合わせて自由に調整することができる。また、吊り具１２２がリング状である場合、当該リングの穴の向きを調整することができる。例えば、机Ｄの裏面に、リング状の吊り具１２２を利用してＬＡＮケーブルを這わせたい場合、リング状の吊り具１２２の穴の向きを、当該ＬＡＮケーブルが這う方向に合わせて自由に調整することができる。
【００３２】
一方、吊り具１２２に引っ掛ける収納物の種類によっては、回転させたくない場合もある。例えば、引き出しを引っ掛ける場合、引き出しの向きを常に同じ方向に向かせておきたいため、回転させたくない。このような場合、吊り具１２２と接続部１２１とを溶接固定（一体化）やネジ止め固定などにより固定し、回らないようにしてもよい。
【００３３】
さらに、スライダー１１は挿入口１３から容易に挿入したり、取り外したりすることが可能であるため、スライダー１１の増減を容易に行うことができる。つまり、収納物や収納用品の数や種類に応じて、自由にスライダー１１や吊り部１２を設けることができる。
【００３４】
図４は、本発明の実施の形態に係る収納機構の説明図であり、（Ａ）は挿入口の種類を示す説明図、（Ｂ）は挿入口にスライダーが挿入された例を示す説明図である。図４（Ａ）に示すように、挿入口１３は、レール１０の様々な部分に設けることができる。
【００３５】
例えば、挿入口１３Ａは、レール１０の長手方向Ｆの両端部分に設けられている。挿入口１３Ｂは、挿入口１３Ａと同様にレール１０の長手方向Ｆの両端部分に設けられており、かつヘラ型に加工されている。挿入口１３Ｃも、挿入口１３Ａ，１３Ｂと同様にレール１０の長手方向Ｆの両端部分に設けられており、かつサシ型に加工されている。
【００３６】
一方、挿入口１３Ｄは、レール１０の長手方向Ｆの途中部分に、アナ型に加工されて設けられている。挿入口１３Ｅは、レール１０の長手方向Ｆの両端部分に、アナ型に加工されて設けられている。
【００３７】
挿入口１３は、レール１０に複数箇所設けられてよく、また、それぞれの種類の挿入口１３Ａ〜１３Ｅを組み合わせて設けられてもよい。
【００３８】
また、図４（Ｂ）に示すように、スライダー１１のサイド部分１１Ｓに滑り止め機構を設けて、スライダー１１のスライドし易さ（滑りやすさ）を調整してもよい。滑り止め機構とは、例えば、滑り止めゴムや溝など、摩擦力を高くする機構である。なお、スライダー１１は、吊り部１２の接続部１２１と接続する係合穴１１１を備える。係合穴１１１は、例えば、ネジ穴などである。
【００３９】
［拡張例］
図５は、本発明の実施の形態に係る収納機構の別の実施例を示す説明図である。図５に示すように、レール１０１は、複数のレール１０１Ａ〜１０１Ｃを接続して構成されていてもよい。これにより、利用者の机のサイズに合わせて、当該机の裏面にぴったり合う長さのレール１０１を設けることができる。例えば、利用者の机のサイズが図５に示す例よりも大きければ、レール１０１Ｂをもっと追加することで、レール１０１の長さを調整することができる。
【００４０】
図６は、本発明の実施の形態に係る収納機構の吊り部の例を示す説明図である。図６（Ａ）に示す吊り部１２は、接続部１２１のみからなる。そして、接続部１２１にはネジ穴が設けられており、収納物を挟む形でネジ止めされる。
また、図６（Ｂ）に示す吊り部１２は、丸フック状の吊り具１２２を含んでいる。なお、図６（Ｃ）に示す吊り部１２は、横長フック状の吊り具１２２を含んでいる。
【００４１】
図７および図８は、本発明の実施の形態に係る収納機構の収納用品の例を示す説明図である。例えば、図７（Ａ）および図８（Ａ）は、ケーブルサポーターである。図７（Ａ）に示すように、ケーブルサポーターにＬＡＮケーブルや電源ケーブルなどのケーブル類が巻かれて収納される。
【００４２】
図７（Ｂ）および図８（Ｂ）は、トレイである。図７（Ｂ）に示すように、トレイ上に収納物が置かれて収納される。図３に示すトレイよりも隙間や穴の部分を大きく設けているため、トレイが設置される位置を自由に調整することができる。
また、図７（Ｃ）および図８（Ｃ）は、面ファスナーバンドからなるガジェットホルダーである。図７（Ｃ）に示すように、ガジェットホルダーに収納物が挟み込まれて収納される。
【００４３】
これらのケーブルサポーターやトレイ、ガジェットホルダーは、図８（Ａ）〜図８（Ｃ）に示すように、それぞれに設けられた隙間や穴の部分が、図６（Ａ）の吊り部１２によりネジ止めされることでレール１０にしっかりと安定して設置される。また、図１や図６（Ｂ），（Ｃ）に示されるような、吊り具１２２を含む吊り部１２に引っかけられて設置されてもよい。
【００４４】
なお、図７（Ｄ）および図８（Ｄ）は、マグネット（磁石）からなるマグネットプレートである。図６（Ａ）のスライダー１１や吊り部１２、またはレール１０をマグネットがくっつく金属製（例えば、アルミ製）のものとすれば、図７（Ｄ）および図８（Ｄ）に示すように、マグネットプレートはネジ止め不要でレール１０に設置され、収納物を載置したり、挟み込んだりすることができる。
【産業上の利用可能性】
【００４５】
本発明は、様々な物を収納できつつ、かつ空間が有効的に利用された収納機構であり、利用者が所持する収納物や収納用品、または机のサイズに合わせて自由に利用することができるため、産業上有用である。
【符号の説明】
【００４６】
１  収納機構
１０、１０１、１０１Ａ〜１０１Ｃ  レール
１１  スライダー
１１Ｓ  スライダーのサイド部分
１１１  係合穴
１２  吊り部
１２１  接続部
１２２  吊り具
１３、１３Ａ〜１３Ｅ  挿入口
Ｄ  机
Ｆ  長手方向
Ｈ  隙間や穴
【要約】
【課題】机上作業で使う物や、机の周辺で使う物の物品や形状に関わらず、様々な物を収納できつつ、かつ作業者の邪魔にならない、空間が有効的に利用された収納機構の提供。
【解決手段】収納機構１は、机の裏面に設けられたレール１０と、レール１０に係合し、レール１０に沿って移動可能なスライダー１１と、スライダー１１に接続され、収納物または収納物を収納可能な収納用品を引っ掛ける吊り部１２とを含む。また、収納機構１は、レール１０の長手方向Ｆの両端部分またはレール１０の長手方向Ｆの途中部分のうち１以上の部分に、スライダー１１が挿入される挿入口１３が設けられている。
【選択図】図１【図１】
0006986657.tif 000002
【図２】
0006986657.tif 000003
【図３】
0006986657.tif 000004
【図４】
0006986657.tif 000005
【図５】
0006986657.tif 000006
【図６】
0006986657.tif 000007
【図７】
0006986657.tif 000008
【図８】
0006986657.tif 000009